(57)【要約】【課題】１枚のシート状基材で構成されるとともに、接着や貼着作業を不要として容易に組み立てることができる、輸送や保管用に嵩張ることのない商品陳列装置を提供する。【解決手段】商品陳列装置１は、平板状の基材部１０と、基材部１０に設けられた商品保持部２０とを備える。基材部１０及び商品保持部２０は、１枚のシート状基材によって構成される。商品保持部２０は、基材部１０の所定位置を基端として基材部１０の表面１０ａから立ち上がるように切り起こされた第１保持片２１と、第１保持片２１の先端側を基端として第１保持片２１の表面から立ち下がるように切り下げられた第２保持片２２と、第２保持片２２の先端に設けられて、基材部１０の所定位置よりも下側の位置に支持される支持片２３とを備える。第１保持片２１には、第２保持片２２を切り下げることによって第１保持孔２１ａが形成され、第２保持片２２には第２保持孔２２ａが形成される。【選択図】図４
0003219732.tif 000002
【実用新案登録請求の範囲】
【請求項１】
上下方向及び左右方向に延びる平板状の基材部と、
該基材部に設けられた、商品を保持する商品保持部とを備え、
該商品保持部は、前記基材部の所定位置を基端として前記基材部の表面から立ち上がるように切り起こされた第１保持片と、該第１保持片の先端側を基端として前記第１保持片の表面から立ち下がるように切り下げられた第２保持片と、第２保持片の先端に設けられて前記基材部の表面から立ち下がるように切り下げられるとともに、前記基材部の所定位置よりも下側の位置に支持される支持片とを備え、前記第１保持片には、前記第２保持片を切り下げることによって第１保持孔が形成されるともに、前記第２保持片には第２保持孔が形成され、
前記基材部及び前記商品保持部は、１枚のシート状基材によって構成されていることを特徴とする商品陳列装置。
【請求項２】
前記基材部に、吊り下げ孔が形成されていることを特徴とする請求項１に記載の商品陳列装置。
【請求項３】
前記基材部に、前記基材部が上下二つに重なるように折り畳むための折り畳み線を形成したことを特徴とする請求項１又は２に記載の商品陳列装置。
【請求項４】
前記シート状基材は、紙製であることを特徴とする請求項１乃至３のうちいずれか一項に記載の商品陳列装置。
【請求項５】
前記商品は、円錐状に形成されていることを特徴とする請求項１乃至４のうちいずれか一項に記載の商品陳列装置。
【考案の詳細な説明】
【技術分野】
【０００１】
本考案は、商品陳列装置に関する。
【背景技術】
【０００２】
従来から、店頭に設置して商品を展示したり販売するための商品陳列台として、さまざまな材質、板状の製品が提案され、使用されている。これらの中で、紙製の商品陳列台は、比較的安価に製造できると共に簡単に廃棄できるため、恒久的に使用しない用途、例えば、特定期間しか使用しないキャンペーン用の陳列台などとしてしばしば用いられている。
長期間使用する陳列台であれば、多少嵩張って輸送効率が悪かったり、組立てに多少手間がかかっても、あまり大きな問題とはならないが、恒久的に使用せず、使用期間が短い用途の場合には、コストの面からも、輸送用に嵩張らず、かつ組立てが容易にできることが求められている。
【０００３】
従来、輸送用に嵩張らず、かつ組立てが容易にできる商品陳列台として、例えば、特許文献１に示すものが知られている。
特許文献１に示す商品陳列台は、正面板と左側面板と右側面板と背面板とが角筒状に構成され、正面板の上方に設けられた床面板が角筒状の内方に折り込まれ、床面板を下から支える並列した複数の支持板が、左側面板と右側面板の間に、正面板と平行に設けられている。
この特許文献１に示す商品陳列台によれば、正面板と左側面板の間に床面板を下から支える並列した複数の支持板が正面板と平行に設けられているので、角筒状の正面板と左側面板と右側面板と背面板とを、平坦に折り畳むことができ、嵩張らず、輸送や保管ができる。
【０００４】
また、この特許文献１に示す商品陳列台によれば、正面板の上方に床面板が設けられているので、正面板と左側面板と右側面板と背面板とで角筒状に組み立てた後、床面板を角筒状の内方に折込み、複数の支持板の上に床面板を載せるだけで、簡単に商品陳列台を組み立てることができる。
【先行技術文献】
【特許文献】
【０００５】
【特許文献１】特開２０１３−１３５９３号公報
【考案の概要】
【考案が解決しようとする課題】
【０００６】
しかしながら、この従来の特許文献１に示す商品陳列台にあっては、以下の問題点があった。
即ち、特許文献１に示す商品陳列台の場合、正面板、左側面板、右側面板、背面板、及び床面板は一体に形成されているが、床面板を支持する支持板はそれら一体に形成された部材と別部材に形成されている。このため、商品陳列台を構成する部材が２部材であり、製造コストが高価になってしまう。
また、支持板を左側面板及び右側面板に接着する作業が必要になるとともに、正面板と左側面板と右側面板と背面板とを角筒状に構成する際に、左側面板に設けられた貼着板を背面板に貼着する作業も必要になり、組立作業性が悪い。
【０００７】
従って、本考案は、この問題点を解決するためになされたものであり、その目的は、１枚のシート状基材で構成されるとともに、接着や貼着作業を不要として容易に組み立てることができる、輸送や保管用に嵩張ることのない商品陳列装置を提供することにある。
【課題を解決するための手段】
【０００８】
上記目的を達成するために、本考案の一態様に係る商品陳列装置は、上下方向及び左右方向に延びる平板状の基材部と、該基材部に設けられた、商品を保持する商品保持部とを備え、該商品保持部は、前記基材部の所定位置を基端として前記基材部の表面から立ち上がるように切り起こされた第１保持片と、該第１保持片の先端側を基端として前記第１保持片の表面から立ち下がるように切り下げられた第２保持片と、第２保持片の先端に設けられて前記基材部の表面から立ち下がるように切り下げられるとともに、前記基材部の所定位置よりも下側の位置に支持される支持片とを備え、前記第１保持片には、前記第２保持片を切り下げることによって第１保持孔が形成されるともに、前記第２保持片には第２保持孔が形成され、前記基材部及び前記商品保持部は、１枚のシート状基材によって構成されていることを要旨とする。
【考案の効果】
【０００９】
本考案に係る商品陳列装置によれば、１枚のシート状基材で構成されるとともに、接着や貼着作業を不要として容易に組み立てることができる、輸送や保管用に嵩張ることのない商品陳列装置を提供できる。
【図面の簡単な説明】
【００１０】
【図１】本考案の一実施形態に係る商品陳列装置の展開図である。
【図２】図１における矢印２で示す部分の拡大図である。
【図３】図１示された商品陳列装置を折り畳んだ状態の正面図である。
【図４】図１に示された商品陳列装置を組み立てた状態を示し、（ａ）は正面図、（ｂ）は右側面図である。
【図５】商品陳列装置の一部の商品支持部に商品が支持された状態を示し、（ａ）は正面図、（ｂ）は（ａ）における５ｂ−５ｂ線に沿う断面図である。
【考案を実施するための形態】
【００１１】
以下、本考案の実施の形態を図面を参照して説明する。以下に示す実施形態は、本考案の技術的思想を具体化するための装置を例示するものであって、本考案の技術的思想は、構成部品の材質、形状、構造、配置等を下記の実施形態に特定するものではない。また、図面は模式的なものである。そのため、厚みと平面寸法との関係、比率等は現実のものとは異なることに留意すべきであり、図面相互間においても互いの寸法の関係や比率が異なる部分が含まれている。
【００１２】
図１は、本考案の一実施形態に係る商品陳列装置の展開図である。図１において、商品陳列装置１は、基材部１０と、基材部１０に設けられた複数（本実施形態にあっては２列５行の１０個）の商品保持部２０とを備えている。基材部１０及び商品保持部２０は、１枚のシート状基材で構成される。シート状基材として、紙製のシート状基材が用いられる。使用する紙としては、バージン紙、カード紙、カップ原紙、コートボール紙などの板紙が使用できる。また、シート状基材として、プラスチック製であってもよい。
基材部１０は、上下方向及び左右方向に延びる長方形平板状に形成されている。
また、各商品保持部２０は、組み立てられた後に図５に示すように商品４０を保持するものであり、第１保持片２１と、第２保持片２２と、支持片２３とを備えている。商品４０は、本実施形態にあっては、円錐状に形成された菓子を対象としている。
【００１３】
第１保持片２１は、図４及び図５に示すように、基材部１０の所定位置（図２における第１折り曲げ線Ｌ１及び第２折り曲げ線Ｌ２の位置）を基端として基材部１０の表面１０ａから切り起こされるものである。商品陳列装置１の展開状態では、図２に示すように、第１保持片２１の外形に対応する左右上端が分離したＣ字形状の第１切込みＣ１が基材部１０に形成されている。また、基材部１０には、第１切込みＣ１の左側の上端から右方向に後述する左側の第３切込みＣ３に至るまで延びる第１折り曲げ線Ｌ１及び第１切込みＣ１の右側の上端から左方向に後述する右側の第５切込みＣ５に至るまで延びる第２折り曲げ線Ｌ２が形成されている。
そして、第１保持片２１は、第１切込みＣ１に沿って左側の第１折り曲げ線Ｌ１、右側の第２折り曲げ線Ｌ２、左側の第３切込みＣ３、右側の第５切込みＣ５及び左側の第３切込みＣ３から右側の第５切込みＣ５に至るまで延びる第４折り曲げ線Ｌ４で基材部１０の表面１０ａから起こされるように折り曲げ、即ち切り起こされる。
【００１４】
また、第２保持片２２は、図４及び図５に示すように、第１保持片２１の先端側（図４及び図５における下端側）を基端として第１保持片２１の表面から立ち下がるように切り下げられるものである。商品陳列装置１の展開状態では、図２に示すように、第２保持片２２の外形の一部に対応する上下方向に沿って外側に湾曲した左側の第２切込みＣ２及び第２切込みＣ２に対して右側に線対称に上下方向に沿って外側に湾曲した右側の第６切込みＣ６が第１保持片２１に形成されている。そして、第１保持片２１には、左側の第２切込みＣ２の下端から右方向に右側の第６切込みＣ６の下端に至るまで第３折り曲げ線Ｌ３が形成されている。また、基材部１０には、左側の第２切込みＣ２の上端から山形の左側の第３切込みＣ３が右方向に延びるように形成され、右側の第６切込みＣ６の上端から山形の右側の第５切込みＣ５が左方向に延びるように形成されている。左側の第３切込みＣ３及び右側の第５切込みＣ５は、第２保持片２２及び支持片２３の外形の一部に対応する。基材部１０には、左側の第３切込みＣ３から右側の第５切込みＣ５に至るまで延びる第４折り曲げ線Ｌ４が形成されている。
【００１５】
また、支持片２３は、第２保持片２２の先端に設けられて基材部１０の表面１０ａから立ち下がるように切り下げられるとともに、基材部１０の所定位置よりも下側の位置に支持される。商品陳列装置１の展開状態では、図２に示すように、支持片２３の外形の一部に対応する左側の第３切込みＣ３の上端から右側の第５切込みＣ５に至るまで延びる略台形状の第４切込みＣ４が基材部１０に形成されている。
そして、第２保持片２２は、第２切込みＣ２及び第６切込みＣ６に沿って第３折り曲げ線Ｌ３で第１保持片２１の表面から立ち下がり、支持片２３は、第３切込みＣ３、第４切込みＣ４及び第５切込みＣ５に沿って基材部１０の表面１０ａから立ち下がるように折り曲げ、即ち切り下げられる。
ここで、第２保持片２２を第１保持片２１から切り下げると、図４（ａ）及び図５に示すように、第１保持片２１には、第２保持片２２の形状及び大きさに対応する形状及び大きさの第１保持孔２１ａが形成される。また、第２保持片２２の略中央部には、楕円形状の第２保持孔２２ａが形成されている。
【００１６】
また、図１及び図２に示すように、基材部１０の第１切込みＣ１よりも下側の位置には、支持片２３が入り込んで係止される左右方向に細長く延びる係止用スリット１１が形成されている。係止用スリット１１は、図５（ｂ）に示すように、基材部１０の表面１０ａから裏面１０ｂにかけて貫通している。
また、基材部１０の左右上端角部の２箇所には、図１に示すように、吊り下げ孔１２が形成されている。
更に、図１に示すように、基材部１０の上下方向略中央部に位置する上から３行目の２つの商品保持部２０の第１折り曲げ線Ｌ１、第２折り曲げ線Ｌ２及び第４折り曲げ線Ｌ４と同一位置には、基材部１０が上下二つに重なるように折り畳むための折り畳み線Ｌ５が左右方向に横断するように形成されている。
【００１７】
図１に示す展開状態の商品陳列装置１を作成するには、紙製のシート状基材に、基材部１０の外形に沿う切込み、第１切込みＣ１〜第６切込みＣ６、第１折り曲げ線Ｌ１〜第４折り曲げ線Ｌ４、折り畳み線Ｌ５、係止用スリット１１、及び吊り下げ孔１２を同時に形成する加工を行うことにより、作成される。
このように構成される商品陳列装置１を組み立て、その後、商品４０（図５参照）を支持する方法について説明する。
先ず、商品陳列装置１は、図３に示すように、基材部１０が上下二つに重なるように折り畳まれた状態で例えば袋等に収納されて商品を陳列する店に輸送される。
ここで、商品陳列装置１は、１枚のシート状基材で構成されて平坦状に折り畳まれているため、輸送や店での保管に際し嵩張ることはない。
次いで、店頭において、商品陳列装置１を組み立てる。この際に、先ず、折り畳まれた商品陳列装置１を袋等から取り出し、商品陳列装置１の折り畳み状態を解除して図１に示すように上下に広げる。
【００１８】
次いで、商品保持部２０の第１保持片２１を、第１切込みＣ１に沿って左側の第１折り曲げ線Ｌ１、右側の第２折り曲げ線Ｌ２、左側の第３切込みＣ３、右側の第５切込みＣ５及び第４折り曲げ線Ｌ４で基材部１０の表面１０ａから起こされるように折り曲げ、即ち切り起こす。この状態は、図４（ａ），（ｂ）に示されている。
次いで、商品保持部２０の第２保持片２２を、第２切込みＣ２及び第６切込みＣ６に沿って第３折り曲げ線Ｌ３で第１保持片２１の表面から立ち下がり、支持片２３を、第３切込みＣ３、第４切込みＣ４及び第５切込みＣ５に沿って基材部１０の表面１０ａから立ち下がるように折り曲げ、即ち切り下げる。
【００１９】
その後、第２保持片２２の先端に設けられた支持片２３を、図４（ａ），（ｂ）及び図５に示すように、基材部１０に形成された係止用スリット１１に挿通して係止する。この際に、支持片２３が係止用スリット１１に適切に係止されるように、支持片２３を第４折り曲げ線Ｌ４で適宜折り曲げるのがよい。これにより、商品陳列装置１の組立てが完了する。この際に、接着や貼着作業は必要ない。
そして、基材部１０に形成された吊り下げ孔１２に、図４（ａ），（ｂ）に示すように、吊り下げ紐３０を通して図示しない店内にある壁等に設けられたフック部に吊り下げ紐３０を引掛けて商品陳列装置１を吊り下げる。
【００２０】
その後、図５に示すように、各商品保持部２０に円錐状に形成された各商品４０を保持する。この際に、円錐状に形成された商品４０の頂点側を下にして第１保持片２１に形成された第１保持孔２１ａ、第２保持片２２の第２保持孔２２ａの順に上側から挿通する。これにより、商品４０は、第１保持片２１に形成された第１保持孔２１ａに挿通された状態で第２保持片２２の第２保持孔２２ａに保持される。第１保持孔２１ａの形状及び大きさは、挿通される商品４０を挿通可能な形状及び大きさに設定される。また、第２保持孔２２ａの形状及び大きさは、挿通された商品４０の周囲を締め付ける形状及び大きさに形成され、商品４０を第２保持孔２２ａによって締め付けることにより保持する。商品４０の上方にある径の大きな部分は、図５（ｂ）に示すように、基材部１０の表面１０ａに当接して商品４０の倒れ込みが阻止される。これにより、複数（本実施形態にあっては５行２列の１０個）の商品４０が商品陳列装置１によって支持されて陳列される。
【００２１】
このように、本実施形態に係る商品陳列装置１によれば、平板状の基材部１０と、基材部１０に設けられた、商品４０を保持する商品保持部２０とを備えている。そして、基材部１０及び商品保持部２０は、１枚のシート状基材によって構成されている。また、商品保持部２０は、基材部１０の所定位置を基端として基材部１０の表面１０ａから立ち上がるように切り起こされた第１保持片２１と、第１保持片２１の先端側を基端として第１保持片２１の表面から立ち下がるように切り下げられた第２保持片２２とを備えている。また、商品保持部２０は、第２保持片２２の先端に設けられて基材部１０の表面１０ａから立ち下がるように切り下げられるとともに、第１保持片２１を挟んで基材部１０の所定位置よりも下側の位置に支持される支持片２３を備えている。更に、第１保持片２１には、第２保持片２２を切り下げることによって第１保持孔２１ａが形成され、第２保持片２２には第２保持孔２２ａが形成されている。
【００２２】
これにより、１枚のシート状基材で構成されるとともに、接着や貼着作業を不要として容易に組み立てることができる、輸送や保管用に嵩張ることのない商品陳列装置１を提供できる。商品陳列装置１は、１枚のシート状基材で構成されるから、製造コストは非常に安価である。
そして、商品陳列装置１の展開状態は、１枚のシート状基材に、基材部１０の外形に沿う切込み、第１切込みＣ１〜第６切込みＣ６、第１折り曲げ線Ｌ１〜第４折り曲げ線Ｌ４、折り畳み線Ｌ５、係止用スリット１１、及び吊り下げ孔１２を同時に形成する加工を行うことにより、作成される。
【００２３】
また、商品４０は、第１保持片２１及び第２保持片２２の２つの保持片によって商品保持部２０に確実に保持される。
更に、第１保持片２１及び第２保持片２２は、第１保持片２１の基端側が基材部１０に連結し、第２保持片の先端側は支持片２３によって基材部１０に支持され、両端支持構造となっている。このため、第１保持片２１及び第２保持片２２の変形は最小限に抑えることができ、商品４０を商品保持部２０で確実に保持することができる。
また、本実施形態に係る商品陳列装置１によれば、基材部１０に、吊り下げ孔１２が形成されているので、吊り下げ孔１２に、吊り下げ紐３０を通して図示しない店内にある壁等に設けられたフック部に吊り下げ紐３０を引掛けて商品陳列装置１を吊り下げることができる。
【００２４】
また、本実施形態に係る商品陳列装置１によれば、基材部１０に、基材部１０が上下二つに重なるように折り畳むための折り畳み線Ｌ５を形成してある。このため、輸送や保管の際に、基材部１０を上下二つに重なるように折り畳まれた状態で例えば袋等に収納することができる。
また、基材部を構成するシート状基材は、紙製であるので、組み立てが容易であるとともに、商品陳列装置１の使用後に容易に廃棄することができる。
【００２５】
以上、本考案の実施形態について説明してきたが、本考案はこれに限定されずに種々の変更、改良を行うことができる。
例えば、第１保持孔２１ａは商品４０を挿通し、第２保持孔２２ａが第１保持孔２１ａに挿通された商品４０を保持するようにしてあるが、第１保持孔２１ａで商品４０を保持し、第２保持孔２２ａで商品４０を挿通するようにしてもよいし、第１保持孔２１ａ及び第２保持孔２２ａの双方で商品４０を保持するようにしてもよい。
【００２６】
また、商品４０は、円錐状に形成された菓子を対象としているが、これに限らず、円筒状、角筒状、円柱状、角柱状、その他の形状であってもよい。第１保持孔２１ａ及び第２保持孔２２ａの形状及び大きさは、保持する商品の形状及び大きさに応じて適宜決定すればよい。
また、商品保持部２０は、基材部１０に５行２列の１０個設けられているが、設置する個数は任意でよい。
また、基材部１０の表面１０ａには、ＰＯＰ情報等を記載しても良い。
【符号の説明】
【００２７】
１  商品陳列装置
１０  基材部
１０ａ  表面
１０ｂ  裏面
１１  係止用スリット
１２  吊り下げ孔
２０  商品保持部
２１  第１保持片
２１ａ  第１保持孔
２２  第２保持片
２２ａ  第２保持孔
２３  支持片
Ｃ１  第１切込み
Ｃ２  第２切込み
Ｃ３  第３切込み
Ｃ４  第４切込み
Ｃ５  第５切込み
Ｃ６  第６切込み
Ｌ１  第１折り曲げ線
Ｌ２  第２折り曲げ線
Ｌ３  第３折り曲げ線
Ｌ４  第４折り曲げ線
Ｌ５  折り畳み線
３０  吊り下げ紐
４０  商品
【図１】
0003219732.tif 000003
【図２】
0003219732.tif 000004
【図３】
0003219732.tif 000005
【図４】
0003219732.tif 000006
【図５】
0003219732.tif 000007